(57)【要約】【課題】  地上デジタル放送信号と地上アナログ放送信号を確実に分離でき、受信障害を招くことなく、それぞれを個別に増幅しまたは減衰できるブースタを提供する。【解決手段】  少なくとも、一方の系（第一系）は、当該系に加えられる混在信号２２の周波数を中間周波信号５１に変換する第一の周波数変換手段（２７）、中間周波信号５１に含まれる地上デジタル放送信号または地上アナログ放送信号もしくはそれら放送の特定チャンネルの信号を抽出するＳＡＷフィルタ（２８）、ＳＡＷフィルタで抽出された信号の周波数を前記混在信号の周波数に変換する第二の周波数変換手段（２９）、ＳＡＷフィルタで抽出された信号または前記第二の周波数変換手段で周波数変換された信号のレベル調整をするレベル調整手段（３２、３３）を備える。【選択図】  図１
2005192142.tif 000002
【特許請求の範囲】
【請求項１】
地上デジタル放送と地上アナログ放送の混在信号を二つの系に分岐し、少なくとも、いずれか一方の系で所要の信号操作を行い、それら二つの系を通過した信号を合成して出力するブースタにおいて、
前記一方の系は、
当該系に加えられる混在信号の周波数を中間周波信号に変換する第一の周波数変換手段と、
前記中間周波信号に含まれる地上デジタル放送信号または地上アナログ放送信号もしくはそれら放送の特定チャンネルの信号を抽出するＳＡＷフィルタと、
前記ＳＡＷフィルタで抽出された信号の周波数を前記混在信号の周波数に変換する第二の周波数変換手段と、
前記ＳＡＷフィルタで抽出された信号または前記第二の周波数変換手段で周波数変換された信号のレベル調整をするレベル調整手段とを備えることを特徴とするブースタ。
【請求項２】
他方の系は、前記一方の系が抽出する特定チャンネルを除くチャンネルを通過させるフィルタを有することを特徴とする請求項１記載のブースタ。
【請求項３】
地上デジタル放送と地上アナログ放送の混在信号を二つの系に分岐し、少なくとも、いずれか一方の系で所要の信号操作を行い、それら二つの系を通過した信号を合成して出力するブースタにおいて、
前記一方の系は、
当該系に加えられる混在信号の周波数を中間周波信号に変換する第一の周波数変換手段と、
前記中間周波信号に含まれる地上デジタル放送信号または地上アナログ放送信号もしくはそれら放送の特定チャンネルの信号を抽出するＳＡＷフィルタと、
前記ＳＡＷフィルタで抽出された信号の周波数を前記混在信号の周波数に変換する第二の周波数変換手段とを備え、
前記他方の系は、前記一方の系が抽出する特定チャンネルを除くチャンネルを通過させるフィルタを備え、
前記一方の系のＳＡＷフィルタで抽出された信号または前記第二の周波数変換手段で周波数変換された信号もしくは前記他方の系のフィルタで抽出された信号の少なくとも一つをレベル調整するレベル調整手段を、前記一方の系または他方の系に備えることを特徴とするブースタ。
【請求項４】
地上デジタル放送と地上アナログ放送の混在信号を二つの系に分岐し、一方の系と他方の系でそれぞれ所要の信号操作を行い、それら二つの系を通過した信号を合成して出力するブースタにおいて、
前記一方の系は、
当該系に加えられる混在信号の周波数を中間周波信号に変換する第一の周波数変換手段と、
前記中間周波信号に含まれる地上デジタル放送信号または地上アナログ放送信号もしくはそれら放送の特定チャンネルの信号を抽出する第一のＳＡＷフィルタと、
前記第一のＳＡＷフィルタで抽出された信号の周波数を前記混在信号の周波数に変換する第二の周波数変換手段と、
前記第一のＳＡＷフィルタで抽出された信号または前記第二の周波数変換手段で周波数変換された信号のレベル調整をする第一のレベル調整手段とを備え、
前記他方の系は、
当該系に加えられる混在信号の周波数を中間周波信号に変換する第三の周波数変換手段と、
前記一方の系の第一のＳＡＷフィルタで抽出される信号以外の信号を抽出する第二のＳＡＷフィルタと、
前記第二のＳＡＷフィルタで抽出された信号の周波数を前記混在信号の周波数に変換する第四の周波数変換手段と、
前記第二のＳＡＷフィルタで抽出された信号または前記第四の周波数変換手段で周波数変換された信号のレベル調整をする第二のレベル調整手段とを備えることを特徴とするブースタ。
【発明の詳細な説明】
【技術分野】
【０００１】
本発明は、ブースタに関し、詳しくは、ＵＨＦ帯域のテレビジョン放送用のブースタであって、特に、地上デジタル放送と兼用できるブースタに関する。
【背景技術】
【０００２】
２００３年１２月から東京・大阪・名古屋の三大都市圏で本放送が開始された地上デジタル放送は、当面、既存のアナログテレビジョン放送（地上アナログ放送）への影響を考慮して、低電力送信（減力送信）されることとなっており、何段階かの増力変更過程を経て、最終的な空中線電力で送信される計画となっている。
【０００３】
地上デジタル放送への完全移行は２０１１年の予定であり、それまでは、既存の地上アナログ放送との併用期間である。また、この併用期間は、上記の増力変更期間でもある。このため、たとえば、テレビジョン共聴システム等に用いられるブースタにおいては、地上デジタルと地上アナログの両放送に兼用でき、しかも、暫時増力される地上デジタル放送を受信する際にも、動作上の不都合を招かないことが求められる。
【０００４】
ここで、“ブースタ”とは、テレビジョン受信アンテナの直下に挿入される信号増幅／減衰用の電子機器のことである。たとえば、ビル共聴システムでは多数の信号分配を行うことから、その分配に伴う信号減衰を補うために必要とされる機器であり、また、弱電界地域では一般家庭でもしばしば必要とされる機器であり、あるいは、送信アンテナの近く（強電界地域）では所望のレベルまで信号を減衰させるために必要とされる機器である。
【０００５】
図７は、地上デジタルと地上アナログの放送チャンネル割り当てを示す図である。ＵＨＦ帯（４７０ＭＨｚ〜７７０ＭＨｚ）の各チャンネル（１３〜６２ｃｈ）はいずれも６ＭＨｚの帯域幅を持っている。地上デジタル放送では、その帯域幅のすべてを占有する直交周波数多重変調（ＯＦＤＭ）方式が用いられており、一方、地上アナログ放送では、その帯域幅内の二つの周波数を搬送波として映像と音声を伝送する変調方式が用いられている。
【０００６】
チャンネルごとの受信レベルを地上デジタルと地上アナログで比較すると、上記のとおり、当面の間、地上デジタル放送は低電力送信（減力送信）されるため、「地上デジタル放送の受信レベル」に対して、「地上アナログ放送の受信レベル」が大きいという状況が起こり得る。
【０００７】
このように、一方の受信レベルが大きい二つの放送信号を同一のブースタで増幅した場合、ブースタ内の増幅器で歪みが生じ、小受信レベルの放送信号（地上デジタル放送信号）を正常に処理できなくなるおそれがある。
【０００８】
図８は、かかる不都合を改善した従来のブースタの構成図である（たとえば、特許文献１参照）。この図において、端子１には地上デジタル放送信号（便宜的にＤ１とＤ２の２チャンネル）と、地上アナログ放送信号（便宜的にＡ１とＡ２の２チャンネル）からなる混在信号２が加えられており、この混在信号２は、Ｄ１、Ｄ２の信号レベルに対してＡ１、Ａ２の信号レベルが大きい関係となっている。なお、Ｄ１及びＤ２の矩形図形は６ＭＨｚ帯域のＯＦＤＭ信号を示しており、また、Ａ１及びＡ２の各々の長実線は映像搬送波、短実線は音声搬送波を示している。
【０００９】
端子１に加えられた混在信号２は分岐器３で二分配され、それぞれバンドパスフィルタ４と広帯域増幅器５に加えられる。
【００１０】
バンドパスフィルタ４の通過帯域は、特許文献１の記載（特に〔００１３〕欄の記載）に従えば、「地上デジタル放送信号Ｄ１、Ｄ２を通過させることができるように選択されており、」とされているので、したがって、「このバンドパスフィルタ４の出力側に設けられた複数段の増幅器６、７は、地上デジタル放送信号Ｄ１、Ｄ２のみをその段数に対応した増幅度で増幅する。信号８は、バンドパスフィルタ４の通過信号であり、地上アナログ放送信号Ａ１、Ａ２を含まない地上デジタル放送信号Ｄ１、Ｄ２のみの信号である。また、信号９は、増幅器６、７で増幅された地上デジタル放送信号Ｄ１、Ｄ２のみの信号である。」と理解することができる。
【００１１】
このように、バンドパスフィルタ４で地上デジタル放送信号Ｄ１、Ｄ２のみの信号８となり、さらに、増幅器６、７で増幅された信号９は、合成器１０の一方端子に加えられ、この合成器１０の他方端子に加えられた広帯域増幅器５の出力信号と合成された後、その合成信号１１が取り出される。
【００１２】
すなわち、この従来例のブースタにおいては、地上デジタル放送信号Ｄ１、Ｄ２のみを取り出して増幅し、その増幅後の信号を元の信号に合成して出力するので、一方の受信レベルが大きい二つの放送信号（Ｄ１、Ｄ２＜Ａ１、Ａ２）を同一のブースタで増幅した場合であっても、小電力レベル側の地上デジタル放送信号（Ｄ１、Ｄ２）を専用の増幅器６、７で増幅することができ、信号の歪みは生じないとされている。
【００１３】
【特許文献１】特開２００３−８９２９号公報（〔００１１〕−〔００１８〕、第１図）
【発明の開示】
【発明が解決しようとする課題】
【００１４】
しかしながら、上記従来のブースタにあっては、バンドパスフィルタ４によって、地上デジタル放送信号（Ｄ１、Ｄ２）のみを取り出すこととしているが、実際のバンドパスフィルタは、目標帯域の信号のみ（ここでは、６ＭＨｚ帯域幅ごとの信号）を正確に取り出すことはできず、その通過帯域は、目標帯域を若干超過した値とならざるを得ないため、この超過分の存在により、たとえば、隣接する地上アナログ放送信号（Ａ１）の一部が不本意に通過してしまうという不都合がある。
【００１５】
図９は、バンドパスフィルタ４の通過特性を示す概念図である。この図において、今、地上デジタル放送信号Ｄと地上アナログ放送信号Ａが隣接している場合、たとえば、前者が１３ｃｈで後者が１４ｃｈのように隣接している場合は、バンドバスフィルタ４の通過帯域は、一点鎖線１２で示すように、地上デジタル放送信号Ｄの全てと、地上アナログ放送信号Ａの一部（図示の例では映像信号の一部；ハッチング部）を含むこととなる。
【００１６】
このため、バンドパスフィルタ４の後段の増幅器６、７は、地上デジタル放送信号Ｄと一緒に、地上アナログ放送信号Ａの一部（ハッチング部）も増幅してしまうこととなり、最終的にブースタから取り出される合成信号１１は、地上アナログ放送信号Ａの一部が不必要に大きくなってしまい、結局、受信障害（ゴースト等）の原因になるという問題点がある。
【００１７】
そこで、本発明の目的は、地上デジタル放送信号と地上アナログ放送信号を確実に分離でき、受信障害を招くことなく、それぞれを個別に増幅しまたは減衰できるブースタを提供することにある。
【課題を解決するための手段】
【００１８】
本発明に係るブースタは、地上デジタル放送と地上アナログ放送の混在信号を二つの系に分岐し、少なくとも、いずれか一方の系で所要の信号操作を行い、それら二つの系を通過した信号を合成して出力するブースタにおいて、前記一方の系は、当該系に加えられる混在信号の周波数を中間周波信号に変換する第一の周波数変換手段と、前記中間周波信号に含まれる地上デジタル放送信号または地上アナログ放送信号もしくはそれら放送の特定チャンネルの信号を抽出するＳＡＷフィルタと、前記ＳＡＷフィルタで抽出された信号の周波数を前記混在信号の周波数に変換する第二の周波数変換手段と、前記ＳＡＷフィルタで抽出された信号または前記第二の周波数変換手段で周波数変換された信号のレベル調整をするレベル調整手段とを備えることを特徴とする。
この発明の好ましい態様は、他方の系は、前記一方の系が抽出する特定チャンネルを除くチャンネルを通過させるフィルタを有することを特徴とするものである。
または、他の発明としては、地上デジタル放送と地上アナログ放送の混在信号を二つの系に分岐し、少なくとも、いずれか一方の系で所要の信号操作を行い、それら二つの系を通過した信号を合成して出力するブースタにおいて、前記一方の系は、当該系に加えられる混在信号の周波数を中間周波信号に変換する第一の周波数変換手段と、前記中間周波信号に含まれる地上デジタル放送信号または地上アナログ放送信号もしくはそれら放送の特定チャンネルの信号を抽出するＳＡＷフィルタと、前記ＳＡＷフィルタで抽出された信号の周波数を前記混在信号の周波数に変換する第二の周波数変換手段とを備え、前記他方の系は、前記一方の系が抽出する特定チャンネルを除くチャンネルを通過させるフィルタを備え、前記一方の系のＳＡＷフィルタで抽出された信号または前記第二の周波数変換手段で周波数変換された信号もしくは前記他方の系のフィルタで抽出された信号の少なくとも一つをレベル調整するレベル調整手段を、前記一方の系または他方の系に備えることを特徴とするものであってもよい。
または、他の発明としては、地上デジタル放送と地上アナログ放送の混在信号を二つの系に分岐し、一方の系と他方の系でそれぞれ所要の信号操作を行い、それら二つの系を通過した信号を合成して出力するブースタにおいて、前記一方の系は、当該系に加えられる混在信号の周波数を中間周波信号に変換する第一の周波数変換手段と、前記中間周波信号に含まれる地上デジタル放送信号または地上アナログ放送信号もしくはそれら放送の特定チャンネルの信号を抽出する第一のＳＡＷフィルタと、前記第一のＳＡＷフィルタで抽出された信号の周波数を前記混在信号の周波数に変換する第二の周波数変換手段と、前記第一のＳＡＷフィルタで抽出された信号または前記第二の周波数変換手段で周波数変換された信号のレベル調整をする第一のレベル調整手段とを備え、前記他方の系は、当該系に加えられる混在信号の周波数を中間周波信号に変換する第三の周波数変換手段と、前記一方の系の第一のＳＡＷフィルタで抽出される信号以外の信号を抽出する第二のＳＡＷフィルタと、前記第二のＳＡＷフィルタで抽出された信号の周波数を前記混在信号の周波数に変換する第四の周波数変換手段と、前記第二のＳＡＷフィルタで抽出された信号または前記第四の周波数変換手段で周波数変換された信号のレベル調整をする第二のレベル調整手段とを備えることを特徴とするものであってもよい。
【発明の効果】
【００１９】
本発明では、入力された混在信号を中間周波信号に変換してからＳＡＷフィルタに通しているので、ＵＨＦ帯の高い周波数を持つ地上デジタルや地上アナログの放送信号であっても、そのＳＡＷフィルタの優れたバンドパス特性を積極的に利用して、両放送信号を確実に分離でき、ゴースト等の受信障害を招くことなく、それぞれを個別に増幅しまたは減衰できるブースタを提供することができる。
【発明を実施するための最良の形態】
【００２０】
以下、本発明の実施例を、図面を参照しながら説明する。なお、以下の説明における様々な細部の特定ないし実例および数値や文字列その他の記号の例示は、本発明の思想を明瞭にするための、あくまでも参考であって、それらのすべてまたは一部によって本発明の思想が限定されないことは明らかである。また、周知の手法、周知の手順、周知のアーキテクチャおよび周知の回路構成等（以下「周知事項」）についてはその細部にわたる説明を避けるが、これも説明を簡潔にするためであって、これら周知事項のすべてまたは一部を意図的に排除するものではない。かかる周知事項は本発明の出願時点で当業者の知り得るところであるので、以下の説明に当然含まれている。
【００２１】
図１は、実施形態に係るブースタ２０の構成図である。この図において、テレビジョン受信アンテナ２１で受信された地上デジタル放送と地上アナログ放送の混在信号２２は、端子２３を介して分岐器２４で二分配され、二系統に振り分けられる。以下、便宜的に、図面に向かって上側の系を「第一系」といい、下側の系を「第二系」ということにする。この第一系及び第二系は、発明の要旨に記載の「一方の系」及び「他方の系」に相当する。
【００２２】
この実施形態においては、第一系と第二系は同一の構成を有している。すなわち、第一系は、前段バンドパスフィルタ２５、前段増幅器２６、前段混合器２７（第一の周波数変換手段）、ＳＡＷフィルタ２８（第一のＳＡＷフィルタ）、後段混合器２９（第二の周波数変換手段）、局部信号発振器３０、ＰＬＬ３１、後段増幅器３２（第一のレベル調整手段）、信号レベル調整器３３（第一のレベル調整手段）、後段バンドパスフィルタ３４、ＣＰＵ３５及びチャンネルＳＷ３６を備え、同様に、第二系は、前段バンドパスフィルタ３７、前段増幅器３８、前段混合器３９（第三の周波数変換手段）、ＳＡＷフィルタ４０（第二のＳＡＷフィルタ）、後段混合器４１（第四の周波数変換手段）、局部信号発振器４２、ＰＬＬ４３、後段増幅器４４（第二のレベル調整手段）、信号レベル調整器４５（第二のレベル調整手段）、後段バンドパスフィルタ４６、ＣＰＵ４７及びチャンネルＳＷ４８を備える。
【００２３】
これら二つの系は、いずれも、混在信号２２中の任意の周波数帯域の信号に対する選択動作を行う点で共通するが、一方の系が「当該周波数帯域の信号のみ」を取り出すのに対して、他方の系が「当該周波数帯域以外の任意の周波数帯域の信号」を取り出す点で相違する。たとえば、第一の系が「地上デジタル放送信号」を取り出すものとしたとき、第二の系はそれ以外の信号、たとえば、「地上アナログ放送信号」を取り出すような仕組みになっている。
【００２４】
以下、この点を理解できる程度に、第一及び第二系の各ブロックの機能並びに動作について説明する。
【００２５】
まず、前段バンドパスフィルタ２５、３７と後段バンドパスフィルタ３４、４６は、ブースタ２０の使用周波数帯域以外の不要周波数を通過させないために付加されているものである。ただし、この前段バンドパスフィルタ２５、３７と後段バンドパスフィルタ３４、４６の通過帯域は、少なくともＵＨＦ帯域をカバーしていればよく、急峻な周波数選択性は要求されない。このため、たとえば、ＬＣ型等の単純な構成のフィルタを使用しても構わない。
【００２６】
次に、前段増幅器２６、３８は、所定の増幅率で信号増幅するために付加されているものである。
【００２７】
次に、前段混合器２７、３９、ＳＡＷフィルタ２８、４０、後段混合器２９、４１、局部信号発振器３０、４２、ＰＬＬ３１、４３、ＣＰＵ３５、４７及びチャンネルＳＷ３６、４８は、上記の「混在信号２２中の任意の周波数帯域の信号に対する選択動作」を行うために必要な構成要素である。
【００２８】
すなわち、第一系の前段混合器２７は、前段バンドパスフィルタ２５及び前段増幅器２６を通過した混在信号４９と、局部信号発振器３０で作られた第一系用局発信号５０とを混合して、その「差」に相当する中間周波信号５１に変換する。ＳＡＷフィルタ２８は、その中間周波信号５１に含まれる任意の周波数帯域の信号（ここでは、地上デジタル放送信号とする）のみを取り出し、後段混合器２９は、ＳＡＷフィルタ２８で取り出された抽出信号５２と、局部信号発振器３０で作られた第一系用局発信号５０とを混合して、その「和」に相当する信号、つまり、元のＵＨＦ帯の高周波信号５３に変換する。
【００２９】
一方、第二系の前段混合器３９は、前段バンドパスフィルタ３７及び前段増幅器３８を通過した混在信号５４と、局部信号発振器４２で作られた第二系用局発信号５５とを混合して、その「差」に相当する中間周波信号５６に変換する。ＳＡＷフィルタ４０は、その中間周波信号５６に含まれる任意の周波数帯域以外の信号（ここでは、地上アナログ放送信号とする）のみを取り出し、後段混合器４１は、ＳＡＷフィルタ４０で取り出された抽出信号５７と、局部信号発振器４２で作られた第二系用局発信号５５とを混合して、その「和」に相当する信号、つまり、元のＵＨＦ帯の高周波信号５８に変換する。
【００３０】
第一系用局発信号５０や第二系用局発信号５５の周波数は、ＰＬＬ３１、４３によって正確かつ安定的にコントロールされており、さらに、ＰＬＬ３１、４３の動作はＣＰＵ３５、４７の制御下にある。ＣＰＵ３５、４７は、ユーザによって任意に操作されるチャンネルＳＷ３６、４８の設定内容に基づいて、ＰＬＬ３１、４３の動作を制御する。これにより、第一及び第二系の一方で所定周波数帯域の信号のみを取り出し、他方で所定周波数帯域以外の信号を取り出せるようになっている。
【００３１】
次に、後段増幅器３２、４４は、高周波信号５３、５８に対して所定の増幅率を与えるためのものであり、増幅後の高周波信号５９、６０に所望の減衰量を与えるための信号レベル調整器３３、４５と一緒に、第一系及び第二系から取り出される各々の高周波信号６１、６２に対して、個別の信号レベル調整を行うための構成要素である。
【００３２】
第一及び第二系は、以上の各部で構成されており、第一系及び第二系から取り出された高周波信号６１、６２は、合成器６３で合成された後、その合成信号６４が、端子６５を介して、たとえば、ビル共聴システム６６に出力される。
【００３３】
図２は、ブースタ２０の各部における概念的な信号スペクトル図であり、たとえば、（ａ）はブースタ２０に入力する混在信号２２、（ｂ）は第一系から取り出される高周波信号６１、（ｃ）は第二系から取り出される高周波信号６２、（ｄ）はブースタ２０から出力される合成信号６４のスペクトル図である。
【００３４】
これらの図において、Ｄ１は地上デジタル放送信号、Ａ１は地上アナログ放送信号を表しており、各信号の高さは、それぞれの信号レベルを表している。上記のとおり、高周波信号６１は、第一系から取り出される信号であり、この高周波信号６１は、地上デジタル放送信号Ｄ１のみを含み、且つ、その地上デジタル放送信号Ｄ１の信号レベルは、後段増幅器３２や信号レベル調整器３３によって所望のレベル調整（ここでは、増大方向の調整）が行われている。
【００３５】
これに対して、高周波信号６２は、第二系から取り出される信号であり、この高周波信号６２は、地上アナログ放送信号Ａ１のみを含み、且つ、その地上アナログ放送信号Ａ１の信号レベルは、後段増幅器４４や信号レベル調整器４５によって所望のレベル調整（ここでは、微調整）が行われている。
【００３６】
したがって、これらの高周波信号６１と高周波信号６２とを合成した合成信号６４は、高周波信号６１の地上デジタル放送信号Ｄ１と、高周波信号６２の地上アナログ放送信号Ａ１とを含む信号となり、結局、地上デジタル放送信号Ｄ１と、地上アナログ放送信号Ａ１との各々に対して、個別に所望のレベル調整を施した合成信号６４を得ることができる。
【００３７】
ここで、“ＳＡＷフィルタ”とは、固体表面を伝搬する音波（表面弾性波：Surface Acoustic Wave）を利用したデバイスの一種である。ＳＡＷは音速の遅い場所に集まる性質があり、固体表面は最も音速の遅い場所であるため、音波は表面に集中する。ＳＡＷの速度は数千ｍ／秒で、電磁波の１／１０００００程度と遅いため、非常に小さなデバイスを実現できる。ＳＡＷフィルタは大きく分けて「透過型」と「共振器型」の二種類あるが、いずれもＬＣ型などの既存のフィルタに比べて、きわめて急峻で周波数選択性に優れたフィルタ特性が得られるという利点がある。
【００３８】
一方、バンドパス特性を有するＳＡＷフィルタの多くは、ＵＨＦ帯域以下の周波数、たとえば、３０〜４０ＭＨｚ程度の中間周波数を通過帯域としている。具体例を挙げれば、マルヤス工業株式会社製の「ＭＳＦ−ＶＳ０３７０６シリーズ」の周波数特性は、３４．３１〜３９．９８ＭＨｚの減衰量が０〜−０．７ｄＢ以内、３３．９２ＭＨｚの減衰量が−３５ｄＢ以下、４０．３７ＭＨｚの減衰量が−３５ｄＢ以下となっており、これらの特性から、ＵＨＦ帯域以下の３４．３１〜３９．９８ＭＨｚを通過帯域とする鋭敏なバンドパス特性を有することが認められる。
【００３９】
しかしながら、このように優れたバンドパス特性を有するＳＡＷフィルタであっても、たとえば、従来例のバンドパスフィルタ４（図５参照）の代わりに、そのまま使用できない。通過帯域が中間周波数の帯域（上記のマルヤス工業株式会社製の例では３４．３１〜３９．９８ＭＨｚ）であり、ブースタの使用帯域（ＵＨＦ帯：４７０〜７７０ＭＨｚ）を逸脱しているからである。
【００４０】
そこで、本実施形態では、前段混合器２７、３９によって混在信号４９、５４の周波数をＳＡＷフィルタ２８、４０の通過帯域（たとえば、上記のマルヤス工業株式会社製の例では３４．３１〜３９．９８ＭＨｚ）に適合した中間周波数に一度変換し、ＳＡＷフィルタ２８、４０を通過した抽出信号５２、５７の周波数を後段混合器２９、４１によって再び元の周波数に戻すようにしている。
【００４１】
このようにすることにより、優れたバンドパス特性を有するＳＡＷフィルタを支障なく使用できるようになり、その結果、第一系と第二系において、それぞれ所望の周波数帯域の信号（たとえば、第一系では地上デジタル放送信号、第二系では地上アナログ放送信号）のみを正確に取り出し、取り出された高周波信号５３、５８の信号レベルを所望により個別に調節して、その合成信号６４を得ることができるのである。
【００４２】
したがって、本実施形態によれば、ＳＡＷフィルタ２８、４０の優れたバンドパス特性により、地上デジタル放送信号と地上アナログ放送信号を確実に分離でき、ゴースト等の受信障害を招くことなく、それぞれを個別に増幅しまたは減衰できるブースタ２０を提供することができる。
【００４３】
なお、以上の説明では、第一系で地上デジタル放送信号を抽出してレベル調整すると共に、第二系で地上アナログ放送信号を抽出してレベル調整するようにしているが、この態様に限定されない。たとえば、いずれか一方の系で特定のチャンネルの信号だけを抽出して所望によりレベル調整すると共に、他方の系でそれ以外のチャンネルの信号を抽出して所望によりレベル調整し、それらを合成出力するようにしてもよい。
【００４４】
また、以上の説明では、後段混合器２９、４１を通った後で信号のレベル調整を行っているが、つまり、中間周波帯域の抽出信号５２、５７を元のＵＨＦ帯の高周波信号５３、５８に戻した後でレベル調整を行っているが、これに限らず、たとえば、ＳＡＷフィルタ２８、４０を通過した直後の中間周波帯域の抽出信号５２、５７の段階でレベル調整を行ってもよい。
【００４５】
また、以上の説明では、第一系と第二系を同一の構成としたが、異なる構成としてもよい。
また、図１の実施形態においては、チャンネルＤ１とチャンネルＡ１の２周波数帯域を調整する場合を例にしたが、これに限定されない。２以上の周波数帯域、たとえば、ｍ個の周波数帯域を調整する場合は、第一系から第ｍ系までのｍ個の系を備えればよい。
また、図１の実施形態においては、第一系と第二系の出力（高周波信号６１、６２）の合成信号６５を共聴システム６６に送出しているが、それ以外の搬送波を共聴システム６６に送出する必要がある場合には、実施形態のブースタ２０の後段において、第一系と第二系の出力と上記の搬送波とを混合すればよい。
【００４６】
図３は、他の例（第一及び第二系を異なる構成としたもの）を示すブースタ７０の構成図である。この図において、上記の実施形態との相違点は、第二系のＳＡＷフィルタ４０が取り除かれていること、その代わりにＢＥＦ（バンドエリミネータ）を用いたトラップ７１が設けられていることにある。これによると、たとえば、ＳＡＷフィルタ２８で地上デジタル放送または地上アナログ放送の特定チャンネルの信号を抽出する場合、トラップ７１は、当該特定チャンネルの信号をトラップ（エリミネート）する特性（当該特定チャンネルの信号の周波数帯域に対してのみ大きな減衰を与える特性のこと）を有していればよい。
【００４７】
図４は、図３のブースタ７０の各部における概念的な信号スペクトル図であり、たとえば、（ａ）はブースタ７０の端子２３に入力する混在信号２２、（ｂ）は第一系から取り出される高周波信号６１、（ｃ）は第二系から取り出される高周波信号６２、（ｄ）はブースタ７０から出力される合成信号６４のスペクトル図である。
【００４８】
これらの図において、Ｄ１は地上デジタル放送信号、Ａ１、Ａ２は地上アナログ放送信号を表しており、各信号の高さは、それぞれの信号レベルを表している。上記のとおり、高周波信号６１は、第一系から取り出される信号であり、この高周波信号６１は、ＳＡＷフィルタ２８によって抽出された地上デジタル放送信号Ｄ１のみを含み、且つ、その地上デジタル放送信号Ｄ１の信号レベルは、後段増幅器３２や信号レベル調整器３３によって所望のレベル調整（ここでは、増大方向の調整）が行われている。
【００４９】
これに対して、高周波信号６２は、第二系から取り出される信号であり、この高周波信号６２は、トラップ７１によってエリミネートされた地上デジタル放送信号Ｄ１以外の地上アナログ放送信号Ａ１、Ａ２のみを含み、且つ、その地上アナログ放送信号Ａ１、Ａ２の信号レベルは、後段増幅器４４や信号レベル調整器４５によって所望のレベル調整（ここでは、微調整）が行われている。
【００５０】
したがって、これらの高周波信号６１と高周波信号６２とを合成した合成信号６４は、高周波信号６１の地上デジタル放送信号Ｄ１と、高周波信号６２の地上アナログ放送信号Ａ１、Ａ２とを含む信号となり、結局、地上デジタル放送信号Ｄ１と、地上アナログ放送信号Ａ１、Ａ２との各々に対して、個別に所望のレベル調整を施した合成信号６４を得ることができる。
【００５１】
図５は、図３のブースタ７０の各部における概念的な信号スペクトル図であって、特に他の放送信号配列を調整する場合の例を示す図であり、たとえば、（ａ）はブースタ７０の端子２３に入力する混在信号２２、（ｂ）は第一系から取り出される高周波信号６１、（ｃ）は第二系から取り出される高周波信号６２、（ｄ）はブースタ７０から出力される合成信号６４のスペクトル図である。
【００５２】
これらの図において、Ｄ１、Ｄ２、Ｄ３、Ｄ４は地上デジタル放送信号、Ａ１は地上アナログ放送信号を表しており、各信号の高さは、それぞれの信号レベルを表している。上記のとおり、高周波信号６１は、第一系から取り出される信号であり、この高周波信号６１は、地上アナログ放送信号Ａ１のみを含み、且つ、その地上アナログ放送信号Ａ１の信号レベルは、後段増幅器３２や信号レベル調整器３３によって所望のレベル調整（ここでは、微調整）が行われている。
【００５３】
これに対して、高周波信号６２は、第二系から取り出される信号であり、この高周波信号６２は、トラップ７１によってエリミネートされた地上アナログ放送信号Ａ１以外の地上デジタル放送信号Ｄ１、Ｄ２、Ｄ３、Ｄ４のみを含み、且つ、その地上デジタル放送信号Ｄ１、Ｄ２、Ｄ３、Ｄ４の信号レベルは、後段増幅器４４や信号レベル調整器４５によって所望のレベル調整（ここでは、増大方向の調整）が行われている。
【００５４】
したがって、これらの高周波信号６１と高周波信号６２とを合成した合成信号６４は、高周波信号６１の地上アナログ放送信号Ａ１と、高周波信号６２の地上デジタル放送信号Ｄ１、Ｄ２、Ｄ３、Ｄ４とを含む信号となり、結局、地上デジタル放送信号Ｄ１、Ｄ２、Ｄ３、Ｄ４と、地上アナログ放送信号Ａ１との各々に対して、個別に所望のレベル調整を施した合成信号６４を得ることができる。
【００５５】
図６は、図３のブースタ７０の各部における概念的な信号スペクトル図であって、特に他の放送信号配列を調整する場合の例を示す図であり、たとえば、（ａ）はブースタ７０の端子２３に入力する混在信号２２、（ｂ）は第一系から取り出される高周波信号６１、（ｃ）は第二系から取り出される高周波信号６２、（ｄ）はブースタ７０から出力される合成信号６４のスペクトル図である。
【００５６】
なお、ここでは、地上デジタル放送信号の１チャンネルのレベルを他の放送信号のレベルに調整する例を示している。これは、全国放送の信号レベルと地方放送の信号レベルが異なる場合があることから、これを調整するものである。一般的に地方放送の信号レベルが全国放送の信号レベルよりも低いと考えられる。
【００５７】
これらの図において、Ｄ１、Ｄ２、Ｄ３、Ｄ４は地上デジタル放送信号、Ａ１、Ａ２は地上アナログ放送信号を表しており、各信号の高さは、それぞれの信号レベルを表している。上記のとおり、高周波信号６１は、第一系から取り出される信号であり、この高周波信号６１は、地上デジタル放送信号Ｄ４のみを含み、且つ、その地上デジタル放送信号Ｄ４の信号レベルは、後段増幅器３２や信号レベル調整器３３によって所望のレベル調整（ここでは、増大方向の調整）が行われている。
【００５８】
これに対して、高周波信号６２は、第二系から取り出される信号であり、この高周波信号６２は、地上デジタル放送信号Ｄ４以外の地上デジタル放送信号Ｄ１、Ｄ２、Ｄ３と地上アナログ放送信号Ａ１、Ａ２を含み、且つ、その信号レベルは、後段増幅器４４や信号レベル調整器４５によって所望のレベル調整（ここでは、微調整）が行われている。
【００５９】
したがって、これらの高周波信号６１と高周波信号６２とを合成した合成信号６４は、高周波信号６１の地上デジタル放送信号Ｄ４と、高周波信号６２の地上デジタル放送信号Ｄ１、Ｄ２、Ｄ３及び地上アナログ放送信号Ａ１、Ａ２とを含む信号となり、結局、地上デジタル放送信号Ｄ１、Ｄ２、Ｄ３、Ｄ４と、地上アナログ放送信号Ａ１、Ａ２との各々に対して、個別に所望のレベル調整を施した合成信号６４を得ることができる。
【００６０】
なお、図３〜図６の実施形態において、信号レベルを調整する方の系に関しては、必ずしも増幅回路（後段増幅器３２、４４）は必要ない。レベル調整に際して信号を「増幅する」必要がある場合にだけ設ければよい。
【図面の簡単な説明】
【００６１】
【図１】実施形態に係るブースタ２０の構成図である。
【図２】ブースタ２０の各部における概念的な信号スペクトル図である。
【図３】他の例（第一及び第二系を異なる構成としたもの）を示すブースタ７０の構成図である。
【図４】図３のブースタ７０の各部における概念的な信号スペクトル図である。
【図５】図３のブースタ７０における他の例の信号スペクトル図である。
【図６】図３のブースタ７０における他の例の信号スペクトル図である。
【図７】地上デジタルと地上アナログの放送チャンネル割り当てを示す図である。
【図８】従来のブースタの構成図である。
【図９】バンドパスフィルタ４の通過特性を示す概念図である。
【符号の説明】
【００６２】
２０  ブースタ
２２  混在信号
２７  前段混合器（第一の周波数変換手段）
２８  ＳＡＷフィルタ（第一のＳＡＷフィルタ）
２９  後段混合器（第二の周波数変換手段）
３２  後段増幅器（第一のレベル調整手段）
３３  信号レベル調整器（第一のレベル調整手段）
３９  前段混合器（第三の周波数変換手段）
４０  ＳＡＷフィルタ（第二のＳＡＷフィルタ）
４１  後段混合器（第四の周波数変換手段）
４４  後段増幅器（第二のレベル調整手段）
４５  信号レベル調整器（第二のレベル調整手段）
５１  中間周波信号
５６  中間周波信号
７０  ブースタ
【図１】
2005192142.tif 000003
【図２】
2005192142.tif 000004
【図３】
2005192142.tif 000005
【図４】
2005192142.tif 000006
【図５】
2005192142.tif 000007
【図６】
2005192142.tif 000008
【図７】
2005192142.tif 000009
【図８】
2005192142.tif 000010
【図９】
2005192142.tif 000011